(57)【要約】【課題】コンセント取付作業は、止めネジを抜き、基台保護蓋を取り、制御盤内板に目印を付け、ドリルで孔を明け、電源電線を接続端子に接続し、ボルトまたはネジで基台を制御盤内板に固定し、基台保護蓋を再びかぶせ、止めネジで基台保護蓋を再び基台に固定する、という少なくとも８段階の手数のかかる面倒な作業である。【解決手段】本発明のコンセントの取付作業は、溝部４１を装置取付レール４２に嵌め込む、端子部保護カバー３９を外す、電源電線を接続端子２５に接続する、端子部保護カバー３９を嵌め込む、という４段階の作業で終了し、作業の内容も簡単である。【選択図】図２
2008010391.tif 000002
【特許請求の範囲】
【請求項１】
基台上に配置された一対の端子付きプラグ刃受け部と、
該一対の端子付きプラグ刃受け部のプラグ刃受け部を覆って前記基台にネジ固定され前記プラグ刃受け部に対応して形成されたプラグ刃孔を有する刃受け部保護カバーと、
該刃受け部保護カバーの外部に位置し前記基台上において前記一対の端子付きプラグ刃受け部の端子を配置された電源接続用端子部と、
該電源接続用端子部の外方両側において前記基台に立設された嵌め合い部と、
該嵌め合い部に着脱自在に係合して前記電源接続用端子部を覆う端子部保護カバーと、
前記基台の裏側外面に形成され盤内レールに嵌合して係止可能なレール取付部と、
を備えたことを特徴とする電源簡易接続型端子部付きレール取付型コンセント。
【請求項２】
前記レール取付部は、前記盤内レールに嵌合可能な溝部と、該溝部に嵌入する前記盤内レールの一方の側部に係止すべく配置された固定型爪部と、前記溝部に嵌入する前記盤内レールの他方の側部に係止すべく配置された摺動型爪部とから成る、ことを特徴とする請求項１記載の電源簡易接続型端子部付きレール取付型コンセント。
【請求項３】
前記固定型爪部は、少なくとも１個配置される、ことを特徴とする請求項２記載の電源簡易接続型端子部付きレール取付型コンセント。
【請求項４】
前記摺動型爪部は、付勢部材により常に前記盤内レールとの係止位置方向に付勢され、外力により前記付勢部材の付勢力に抗して前記盤内レールとの係止位置方向とは逆方向に摺動可能である、ことを特徴とする請求項２記載の電源簡易接続型端子部付きレール取付型コンセント。
【請求項５】
前記電源接続用端子部は、前記端子にそれぞれ付属する電源電線接続用の押え金具と端子ネジとを備えている、ことを特徴とする請求項１記載の電源簡易接続型端子部付きレール取付型コンセント。
【請求項６】
前記端子付きプラグ刃受け部は、少なくともいずれか一方のプラグ刃受けの根元に連続して該根元から前記端子方向及び逆方向に延在して立設された位置決め部を備える、ことを特徴とする請求項１記載の電源簡易接続型端子部付きレール取付型コンセント。
【請求項７】
前記基台は、前記端子付きプラグ刃受け部に嵌合して該端子付きプラグ刃受け部を前記基台上においてＸＹ方向に位置決めする溝を備える、ことを特徴とする請求項１記載の電源簡易接続型端子部付きレール取付型コンセント。
【請求項８】
前記刃受け部保護カバーは、前記基台にネジ固定されたとき前記一対の端子付きプラグ刃受け部の位置決め部に当接して該端子付きプラグ刃受け部を前記基台上においてＺ方向に位置決めする押さえ突起部を内面に備える、ことを特徴とする請求項１記載の電源簡易接続型端子部付きレール取付型コンセント。
【請求項９】
絶縁樹脂製カバーと、該絶縁樹脂製カバーの埋込み孔に埋込まれ取付爪にて前記絶縁樹脂製カバーに固定されたコンセントユニット完成品と、からなるコンセントユニット付きカバーと、
該コンセントユニット付きカバーの前記コンセントユニット完成品のコンセントの端子に一方の先端のタブ端子を挿入されたリード線と、
該リード線の他方の先端の圧着端子を一方のねじ穴部にねじにて接続された端子板と、
裏側外面に形成され盤内レールに嵌合して係止可能なレール取付部を備え、この裏面側から表側に貫通するカバー取付用通し孔を有し、前記端子板を端子溝に挿入され、該端子
板の他方のねじ穴部を前記端子溝のねじ穴に端子ねじにて締付けられ、前記コンセントユニット付きカバーを前記表側に被せられ、前記コンセントユニット付きカバーを、前記裏面側から前記カバー取付用通し孔を通したねじにて前記表側に固定された絶縁樹脂製基台と、
を有することを特徴とする電源簡易接続型端子部付きレール取付型コンセント。
【発明の詳細な説明】
【技術分野】
【０００１】
本発明は、電源簡易接続型端子部付きレール取付型コンセントに関する。
【背景技術】
【０００２】
従来、シーケンス制御の制御盤などの各種装置を保守するために、保守用のプログラムがインストールされている携帯用コンピュータを用いて所定の時期に各種装置を試験計測している。
【０００３】
この場合、携帯用コンピュータに商用電源を供給するための電源コンセントが必要となる。しかし、保守作業現場に隣接する事務室の柱や壁に商用電源用のコンセントが予め配置されていることは珍しくはないものの、保守作業現場の柱や壁に商用電源用のコンセントが予め配置されていることは殆どない場合が多い。
【０００４】
したがって、事務室のコンセントにプラグを差し込んだ長い電線を用意し、この電線を保守作業現場まで引き回して持ってきて携帯用コンピュータへ接続することになる。しかし、これでは携帯用コンピュータへの電源電線の接続に手間取って、保守作業の進行が遅れてしまう。
【０００５】
したがって、通常は、制御盤の中の各種装置が並んで取り付けられている複数段の装置取り付けレールが取り付けられていない場所に、商用電源用のコンセントを取り付け、このコンセントに商用電源電線を接続して置くようにする。
【０００６】
こうしておくと、保守作業で作業員が制御盤の扉を開いたとき、すぐに商用電源用のコンセントを目の前に見つけ出し、携帯用コンピュータから引き出した電線のプラグをコンセントに差し込んで携帯用コンピュータに直ちに電源を供給することができるので作業が捗り便利である。
【０００７】
本来このような商用電源用のコンセントはシーケンス制御の制御盤そのものには無用のものであったが、近年では、上述したような理由で、本来の各種装置と並んで、制御盤内板のどこか一箇所に、このような商用電源用のコンセントが保守作業員の便宜のために取り付けられるようになっている。
【０００８】
このようなコンセントは、用途の上でサービスコンセント又は仮設用コンセントと呼ばれており、また、形状の上で露出コンセントと呼ばれる場合もある。（例えば、非特許文献１及び２参照。）
図８(a) は上記のような従来のコンセントの一例を示す外観斜視図であり、同図(b) はその裏面から見た斜視図である。同図(a),(b) に示すように、一般に、コンセント１は、硬質樹脂等の絶縁性素材から成る基台２と基台保護蓋３を備えている。基台２は上げ底式になっており、周囲１箇所に電源電線引込用の切り欠き孔４が形成されている。
【０００９】
基台２の上げ底５には、切り欠き孔４から引き込まれた２本一体の電源電線から分岐する２本の電極線を基台上に引き込むための２個の分岐配線引込用孔６が手前寄り両側に形成され、中央両側に２個の止めネジ通し孔７が形成されている。
【００１０】
また、基台保護蓋３の中央には、プラグの刃が差し込まれる２個の刃受け孔８か形成され、その近傍に止めネジ通し孔９が形成されている。この止めネジ通し孔９には止めネジ１１が挿通される。
【００１１】
止めネジ１１は、基台２の上記基台保護蓋３の止めネジ通し孔９に対応する位置に突設されている特には図示しないネジ座のメネジに締め込まれて、基台保護蓋３を基台２に固定している。
【００１２】
基台保護蓋３で覆われた基台２の上には、これも特には図示しないが、それぞれ電極線接続端子を備えた２個の刃受け部が、基台保護蓋３の２個の刃受け孔８に対応する位置に立設されている。
【００１３】
このコンセントを、制御盤の装置取付レールが取り付けられていない場所に取り付ける場合は、先ず、止めネジ１１を緩めて抜き出し、基台２から基台保護蓋３を取り除く。次に、基台２を制御盤内板の適宜の位置に押し当てた状態で、基台２の表側から孔明け通し（マイナスドライバやプラスドライバと共に組工具として在る千枚通しをやや短くした形状の工具）を止めネジ通し孔７に差し込み、制御盤内板に目印の傷を付ける（ケガクともいう）。
【００１４】
続いて、これらの部材を一旦脇に置き、いまほど付けた目印の箇所にドリルでバカ孔を明ける。ここで方法は２つに分かれる。１つの方法は、切り刃工具を使ってバカ孔にメネジを切る。他の１つの方法は、バカ孔を明けたままにしておく。
【００１５】
次は、いずれも同一作業となる。すなわち、電源電線の先端を２本の電極線に分岐させ、それぞれ被覆のみを切り除いて中身の導線を裸に剥く。続いて、それら２本の導線をそれぞれ分岐配線引込用孔６に通して基台２の上に引き出し、それぞれ２個の刃受け部の電極線接続端子に接続する。
【００１６】
続く作業は、上記の２つに分かれた方法に従う。すなわち、バカ孔にメネジを切った場合は、制御盤内板の目印の傷を付けたときと同様の位置に基台２を押し当てる。さきほど切ったメネジの孔に止めネジ通し孔７を位置合わせし、止めネジ通し孔７を通して止めネジをドライバでメネジの孔に締め付ける。これで基台２が制御盤内板に固定される。
【００１７】
また、バカ孔を明けたままにしておいた場合は、上記同様の位置に基台２を押し当て、長めのボルトを止めネジ通し孔７とバカ孔に貫通させ、制御盤内板の裏側に出たボルト先端にナットを螺合させ、制御盤内板の裏側に回した一方の手の指先でボルトの回転を抑え込み、他方の手にもったレンンチでボルトをナットに締め付ける。これで基台２が制御盤内板に固定される。
【００１８】
そして、取り除いておいた基台保護蓋３を再び基台２にかぶせ、抜き出しておいた止めネジ１１を再び止めネジ通し孔９に挿通し、プラスドライバで止めネジ１１を内部のネジ座のメネジに締め込んで、基台保護蓋３を再び基台２に固定する。これでコンセント１が保守作業用の携帯用コンピュータにプラグを介して商用電源を供給することができるようになる。
【非特許文献１】電設資材・姿図ＣＡＤ・仕様図・取説  総合サイト  ＥＣＯＭＥＴＳあかりと電気設備Ｅｂｏｘhttp://biz.national.jp/Ebox/ecomets/list.php?hinban=WK1012W）
【非特許文献２】２００６年（平成１８年）８月３０日オートメレビュー特集配線接続機器主要各社の重点製品ワゴジャパン
【発明の開示】
【発明が解決しようとする課題】
【００１９】
ところで、制御盤の設置は頻繁に発生する。そしてその都度、制御盤内へのコンセント
１の取り付け作業が発生する。
上述したように、コンセント１の取り付けには、１：止めネジ１１を抜く、２：基台保護蓋３を取る、３：制御盤内板に目印の傷を付ける、４：ドリルでバカ孔を明ける（４´：バカ孔にメネジを切る）、５：電源電線の先端を２本の裸の電極線にする、６：基台２の刃受け部の接続端子に電極線を接続する、７：ボルトとナットで基台２を固定する（７´：止めネジとメネジで基台２を固定する）、８：基台保護蓋３を再び基台２にかぶせる、９：止めネジ１１で基台保護蓋３を再び基台２に固定する、という９又は１０工程の作業が必要である。
【００２０】
このような手数のかかる手順でコンセント取付作業を行わなければならないのでは、作業する者にとってまことに面倒な作業といわざるを得ない。
本発明の課題は、上記従来の実情に鑑み、電源電線の接続のときにコンセントの基台保護蓋をいちいち取外すことなく容易かつ短時間に電源電線を接続でき、また、制御盤内板へ取付けるときもコンセントの基台保護蓋をいちいち取り外して制御盤内板にバカ孔を明けたりネジ切り加工等をする必要もなく容易かつ短時間に取付けることができる電源簡易接続型端子部付きレール取付型コンセントを提供することである。
【課題を解決するための手段】
【００２１】
先ず、第１の発明の電源簡易接続型端子部付きレール取付型コンセントは、基台上に配置された一対の端子付きプラグ刃受け部と、該一対の端子付きプラグ刃受け部のプラグ刃受け部を覆って上記基台にネジ固定され上記プラグ刃受け部に対応して形成されたプラグ刃孔を有する刃受け部保護カバーと、該刃受け部保護カバーの外部に位置し上記基台上において上記一対の端子付きプラグ刃受け部の端子を配置された電源接続用端子部と、該電源接続用端子部の外方両側において上記基台に立設された嵌め合い部と、該嵌め合い部に着脱自在に係合して上記電源接続用端子部を覆う端子部保護カバーと、上記基台の裏側外面に形成され盤内レールに嵌合して係止可能なレール取付部と、を備えて構成される。
【００２２】
上記レール取付部は、例えば、上記盤内レールに嵌合可能な溝部と、該溝部に嵌入する上記盤内レールの一方の側部に係止すべく配置された固定型爪部と、上記溝部に嵌入する上記盤内レールの他方の側部に係止すべく配置された摺動型爪部とから構成される。
【００２３】
また、上記固定型爪部は、例えば、少なくとも１個配置されるように構成される。また、上記摺動型爪部は、例えば、付勢部材により常に上記盤内レールとの係止位置方向に付勢され、外力により上記付勢部材の付勢力に抗して上記盤内レールとの係止位置方向とは逆方向に摺動可能であるように構成される。
【００２４】
また、上記電源接続用端子部は、例えば、上記端子にそれぞれ付属する電源電線接続用の押え金具と端子ネジとを備えて構成される。
また、上記端子付きプラグ刃受け部は、例えば、少なくともいずれか一方のプラグ刃受けの根元に連続して該根元から上記端子方向及び逆方向に延在して立設された位置決め部を備えて構成される。
【００２５】
また、上記基台は、例えば、上記端子付きプラグ刃受け部に嵌合して該端子付きプラグ刃受け部を上記基台上においてＸＹ方向に位置決めする溝を備えて構成される。
また、上記刃受け部保護カバーは、例えば、上記基台にネジ固定されたとき上記一対の端子付きプラグ刃受け部の位置決め部に当接して該端子付きプラグ刃受け部を上記基台上においてＺ方向に位置決めする押さえ突起部を内面に備えて構成される。
【００２６】
次に、第２の発明の電源簡易接続型端子部付きレール取付型コンセントは、絶縁樹脂製カバーと、該絶縁樹脂製カバーの埋込み孔に埋込まれ取付爪にて上記絶縁樹脂製カバーに
固定されたコンセントユニット完成品と、からなるコンセントユニット付きカバーと、該コンセントユニット付きカバーの上記コンセントユニット完成品のコンセントの端子に一方の先端のタブ端子を挿入されたリード線と、該リード線の他方の先端の圧着端子を一方のねじ穴部にねじにて接続された端子板と、裏側外面に形成され盤内レールに嵌合して係止可能なレール取付部を備え、この裏面側から表側に貫通するカバー取付用通し孔を有し、上記端子板を端子溝に挿入され、該端子板の他方のねじ穴部を上記端子溝のねじ穴に端子ねじにて締付けられ、上記コンセントユニット付きカバーを上記表側に被せられ、上記コンセントユニット付きカバーを、上記裏面側から上記カバー取付用通し孔を通したねじにて上記表側に固定された絶縁樹脂製基台と、を有して構成される。
【発明の効果】
【００２７】
本発明によれば、電源電線の接続のときにコンセントの刃受け部保護カバーをいちいち取外すことなく容易かつ短時間に電源電線を接続でき、また、制御盤内への取付けの際もコンセントの刃受け部保護カバーをいちいち取り外して制御盤内板にバカ孔を明けたりネジ切り加工等をする必要もなく容易かつ短時間に取付けることができる電源簡易接続型端子部付きレール取付型コンセントを提供することが可能となる。
【発明を実施するための最良の形態】
【００２８】
以下、本発明の実施の形態を図面を参照しながら説明する。
【実施例１】
【００２９】
図１は本発明の実施例１に係わる電源簡易接続型端子部付きレール取付型コンセント（以下、単にコンセントという）の分解斜視図である。
同図の上から下に示すように、本例のコンセント１５は、図の上から示すようにカバー止めネジ１６、刃受け部保護カバー１７、それぞれ押え金具１８が付属した１対の端子ネジ１９、一対の端子付きプラグ刃受け部２１、及び基台２２とで構成されている。
【００３０】
基台２２には、一対の端子付きプラグ刃受け部２１に嵌合する一対の溝２３が形成されている。すなわち端子付きプラグ刃受け部２１は、組み付け時には、これらの溝２３にそれぞれ嵌入するようになっている。
【００３１】
これら一対の端子付きプラグ刃受け部２１は、それぞれプラグ刃受け部２４とこのプラグ刃受け部２４の下端部に連続する端子２５から成る。それぞれのプラグ刃受け部２４は、それぞれ対向して互いに対向方向に付勢力を有するプラグ刃受け２６（２６ａ、２６ｂ）から成る。
【００３２】
これらプラグ刃受け２６（２６ａ、２６ｂ）の少なくともいずれか一方のプラグ刃受け２６（同図の例では２６ａ）には、その根元に連続してその根元から端子２５方向及び逆方向に延在して立設された位置決め部２７を備えている。
【００３３】
尚、一対の端子付きプラグ刃受け部２１のうち、図の向う側に図示する端子付きプラグ刃受け部２１のプラグ刃受け２６ａの根元から端子逆方向に延在して立設された位置決め部２７は、プラグ刃受け２６ｂの陰になって見えない。
【００３４】
上記の端子２５の端部には、端子ネジ１９が螺合するメネジ孔２８が切られている。このメネジ孔２８に対応して、基台２２の溝２３の端子嵌入部には、メネジ孔２８から下方に突き出たときの端子ネジ１９の先端の逃げ孔２９が穿設されている。
【００３５】
また、端子付きプラグ刃受け部２１の端子２５がそれぞれ嵌入する１対の溝２３の間と外方両側に、合計３個の配線用隔壁３１（３１ａ、３１ｂ、３１ｃ）が基台２２に一体に
立設されている。
【００３６】
そして、外方両側の配線隔壁３１ａと３１ｃの外側面に、後述する端子部保護カバーの嵌め合い凹部と嵌め合う嵌め合い凸部３２が形成されている。尚、配線隔壁３１ａ外面の嵌め合い凸部３２は陰になって見えない。
【００３７】
基台２２の、これら配線用隔壁３１（３１ａ、３１ｂ、３１ｃ）と、溝２３の上述した端子付きプラグ刃受け部２１の端子２５が嵌入する部分とで、電源接続用端子部が形成されている。
【００３８】
また、基台２２の電源接続用端子部とは反対方向の端部近傍には、基台２２と一体なネジ座３３が立設されている。このネジ座３３の上面にはメネジ孔３４が切られている。
上記構成の部材を互いに組み付けてコンセント１を完成させるときは、先ず、押え金具１８の付いたままの端子ネジ１９の先端を、端子２５のメネジ孔２８に浅く螺合させる。
【００３９】
そして、その端子付きプラグ刃受け部２１を基台２２の溝２３に嵌め込む。これにより、端子付きプラグ刃受け部２１は、それぞれ溝２３により基台２２上においてＸＹ方向の位置決めをされる。
【００４０】
続いて、刃受け部保護カバー１７を、一対の端子付きプラグ刃受け部２１のプラグ刃受け部２４を覆うように被せる。
刃受け部保護カバー１７には、基台２２のネジ座３３のメネジ孔３４に対応する位置にカバー止めネジ挿通孔３５が穿設されている。このカバー止めネジ挿通孔３５にカバー止めネジ１６を挿通させ、更に先端をネジ座３３のメネジ孔３４に螺合させ、ドライバで締め付けることによって、刃受け部保護カバー１７が基台２２に固定される。
【００４１】
このとき、特には図示しないが、刃受け部保護カバー１７の内側の突設されている位置決め押さえが、端子付きプラグ刃受け部２１の位置決め部２７に上から圧接する。これにより、端子付きプラグ刃受け部２１は、それぞれ刃受け部保護カバー１７の位置決め押さえにより、基台２２上においてＺ方向の位置決めをされる。
【００４２】
この状態で１対の端子付きプラグ刃受け部２１のプラグ刃受け部２４に対応する刃受け部保護カバー１７の位置に、１対のプラグ刃孔３６が形成されている。
図２は、上記のように各部材が互いに組み付けられて完成したコンセント１を示す斜視図である。尚、同図には、図１に示した構成と同一の構成部分には図１と同一の番号を付与して示している。
【００４３】
同図に示すように、基台２２の、３個の配線用隔壁３１と、端子付きプラグ刃受け部２１の端子２５（図２では端子２５に代わって端子２５に螺合する端子ネジ１９とこの端子ネジ１９に付属している押え金具１８が良く見える）が嵌入している溝部分が在る部分とで、電源接続用端子部３７が形成されている。
【００４４】
この電源接続用端子部３７は、刃受け部保護カバー１７の外部に位置している。そして、この電源接続用端子部３７には、前述した両外側の配線隔壁３１の外側面に形成されている嵌め合い凸部３２に、着脱自在に嵌め合う嵌め合い凹部３８を備えた端子部保護カバー３９が覆うように配置される。
【００４５】
端子部保護カバー３９は、絶縁性の弾力のある硬質樹脂製で、嵌め合い部により電源接続用端子部３７から容易に着脱が可能である。
この状態で、通常のコンセントのように刃受け部保護カバー１７を取り外す手数を掛け
ることなく、単に端子部保護カバー３９を電源接続用端子部３７から外するだけで、端子付きプラグ刃受け部２１の刃受け部保護カバー１７よりも外部に出ている端子２５に、外部からの電源電線を接続することができる。
【００４６】
そして、端子２５に外部からの商用電源電線を接続した後は、端子部保護カバー３９を嵌め合い部により電源接続用端子部３７に装着して、端子２５と商用電源電線との接続部を外部との不測の接触から防止することができる。
【００４７】
そして、刃受け部保護カバー１７のプラグ刃孔３６にプラグ刃を差し込んで、直ちに商用電源を携帯用コンピュータに取り込むことができる。
ところで、このコンセント１には、基台２２の裏側外面に、盤内レールに嵌合して係止可能なレール取付部が形成されている。
【００４８】
図３(a) は、レール取付部の構成を示す斜視図であり、同図(b) は同図(a) のコンセント１を表側から見た部分斜視図であり、同図(c) はコンセントをレール取付部によって盤内レールに取り付けた状態を示す図である。
【００４９】
尚、図３(a) には、図１及び図２と同一構成部分には図１及び図２と同一の番号を付与して示し、図３(b),(c) には、説明に必要な構成部分以外には番号の付与を省略している。また、図３(a),(b),(c) においては、図２の斜め右下方向を上にして示し、図２の斜め左上方向を下にして示している。
【００５０】
図３(a) に示すように、コンセント１の基台２２の裏側外面には、盤内レールに嵌合可能な図１及び図２には番号のみ付して説明を省略していた溝部４１が形成されている。
この溝部４１には、この溝部４１に図３(c) に示すように嵌入する盤内レール４２の一方の側部（図３(c) では上側部）に係止すべく配置された固定型爪部４３と、同じく盤内レール４２の他方の側部（図３(c) では下側部）に係止すべく配置された摺動型爪部４４とが配設されている。これら溝部４１と固定型爪部４３と摺動型爪部４４とでレール取付部が構成されている。
【００５１】
上記の固定型爪部４３は、同図(a) 及び同図(c) に示す例では、２個配置されている。また、上記の摺動型爪部４４は、基台２２の裏面の溝部４１の下方において上下２箇所に分けて形成されている爪係合溝４５に嵌入している。そして、上方の爪係合溝４５との係合部には、基台２２と固定型爪部４３との間に付勢部材４６が介装されている。
【００５２】
これにより、摺動型爪部４４は、付勢部材４６により常に盤内レール４２との係止位置方向に付勢されている。そして、この付勢状態で摺動型爪部４４は、下方の爪係合溝４５によって位置決めされている。
【００５３】
また、摺動型爪部４４は、外力により付勢部材４６の付勢力に抗して盤内レール４２との係止位置方向とは逆方向（図３(a) 及び(c) に示す例では下方向）に摺動可能であるように構成される。
【００５４】
上記の外力は、同図(b) に示す摺動型爪部４４の表側下端部に形成されている引っ掛け穴４７に、適宜にサイズのマイナスドライバの先端を差し込み、刃受け部保護カバー１７の前面下端部を梃子の支点にして、マイナスドライバの柄を軽く上にこじ上ることにより、摺動型爪部４４を下方に摺動させて、その上部の爪部を盤内レール４２との係合から解除することができる。
【００５５】
その状態で、コンセント１の下部を手前に引きながら全体を上に持ち上げることにより
コンセント１を盤内レール４２から容易に取り外すことができる。
コンセント１を盤内レール４２に取り付けるには２つの方法がある。１つは同図(c) の矢印ａで示すように盤内レール４２の開放端部から、同図(a) に示す溝部４１を嵌合させる。
【００５６】
他の方法は、最初に上の固定型爪部４３を盤内レール４２の上側部に引っ掛けたのち、コンセント１の下部を、同図(c) の矢印ｂで示すように、盤内レール４２の正面から押し付ける。
【００５７】
これにより、摺動型爪部４４の上部の爪部には傾斜面４８が形成されているので、この傾斜面４８が盤内レール４２の下側部を滑動し、付勢部材４６の付勢力に抗して下方に下がり、盤内レール４２の下側部が溝部４１に嵌入する。そこで摺動型爪部４４の爪部を遮る物が無くなるので、摺動型爪部４４が付勢部材４６の付勢力により上昇し、爪部が盤内レール４２に係止する。
【００５８】
尚、付勢部材４６は、同図(a) に示す例では押し付勢螺旋バネが使用されているが、付勢部材４６はこれに限ることなく、例えば板バネでもよく、また例えば捻りバネ、線細工バネ等を用いてもよい。
【００５９】
ただし、それらのバネの種類に応じて摺動型爪部４４と爪係合溝４５との係合部の形状や構成が変更されるべきものであることは言うまでもない。
【実施例２】
【００６０】
図４は実施例２に係わるコンセントのレール取付部の他の構成例を示す斜視図である。なお、図４には説明に必要な構成部分にのみ図３(a),(b),(c) と同一の番号を付与して示し、その他の構成部分については煩雑な図示を避けるため番号の図示は省略している。
【００６１】
本例におけるレール取付部の構成は、図４に示すように、盤内レール４２に係止する固定型爪部４３は１個のみ設けられている。このように固定型爪部４３は、１個のみとしてもよく、また特には図示しないが、３個以上設けるようにしてもよい。
【実施例３】
【００６２】
図５は、実施例３に係わるコンセントのプラグ刃受け部の他の構成例を示す斜視図である。
なお、図５においても、説明に必要な構成部分にのみ図３(a),(b),(c) と同一の番号を付与して示し、その他の構成部分については煩雑な図示を避けるため番号の図示は省略している。
【００６３】
本例おけるコンセントの構成は、図５に示すように、外部電源用電線と接続するための電源接続用端子部３７の一対の端子２５には、図では刃受け部保護カバー１７に隠れて見えないが、図１に示した一対のプラグ刃受け部２４が２対連続して構成されている。
【００６４】
それら２対のプラグ刃受け部２４に対応して、刃受け部保護カバー１７には２対のプラグ刃孔３６（３６ａ、３６ｂ）が形成されている。
プラグ刃受け部２４及びこれらに対応する刃受け部保護カバー１７のプラグ刃孔３６の配置数は、一対と限ることなく、図５のように２対以上、任意の数だけ連接することができる。
【実施例４】
【００６５】
ところで、上述した実施例１〜３において、部品２１は、端子とプラグ刃受け部とが一
体成形されている。この構成において、物量が例えば１万台／月程度と多く見込める場合には、多少生産原価が高くてもメリットが期待できる。
【００６６】
ところが、端子付プラグ刃受け部２１と、この端子付プラグ刃受け部２１が入る基台２２の溝２３とには、それらの寸法に高精度が要求されるので、必然的に型代が高額となる。したがって、物量が少ない場合には、投資倒れという思わしくない可能性が残されている。
【００６７】
そこで、本実施例４では、市販のコンセント（コンセントユニット完成品）を、寸法精度をあまり要しない樹脂製のケースカバーに組込んで、工場製の端子部以下の各部品を出来合いのプラグ刃受け部とは別体にするという方法で、実施例１〜３とは機能的に同一でありながら、プラグ刃受け部と端子部が別体であるため工場における部品製作工程が単純化されて安価に製造できる構成とした。以下、これについて説明する。
【００６８】
図６は、実施例４に係わる電源簡易接続型端子部付きレール取付型コンセントの他の構成例を示す斜視図である。尚、図６においても、他の実施例と同一構成部分には同一番号を付与して示している。
【００６９】
本例におけるコンセントは、図６に示すように、プラグ刃受け部に、市販品で容易に入手可能なコンセントユニット完成品５０を採用する。
先ず、このコンセントユニット完成品５０を、絶縁樹脂製カバー５１の埋込み孔５１ａに挿入して埋込み、このコンセントユニット完成品５０を、その埋込み取付用爪５０ａにて絶縁樹脂製カバー５１に固定する。
【００７０】
これにより、コンセントユニット完成品５０と絶縁樹脂製カバー５１とから成るコンセントユニット付きカバーが形成される。
次に、３本のリード線５２の先端にそれぞれ予め電気的に接続してある３個のタブ端子５３を、コンセントユニット完成品５０の３箇所にあるユニット端子５０ｂにそれぞれ挿入する。
【００７１】
更に、リード線５２の他方の先端にそれぞれ取り付けられている３個の圧着端子を、端子板５５の一方のねじ穴部に、端子ネジ１９により電気的に接続する。
この後、絶縁樹脂製基台２２の溝２３と端子抜止め隔壁５６との間隙部に、端子板５５を、絶縁樹脂製基台２２の内側から挿入し、その端子板５５の他方のねじ穴部を、絶縁樹脂製基台２２の端子溝２３のねじ穴に、上方より端子ねじ１９にて締付ける。以上で電気的接続が完了する。
【００７２】
続いて、絶縁樹脂製カバー５１の図では裏面になるため見えない固定ネジ部に、絶縁樹脂製基台２２の裏面から、カバー取付用通し孔５７に不図示の取付ネジを通して絶縁樹脂製カバー５１を絶縁樹脂製基台２２に締付けて、コンセントユニット完成品５０と絶縁樹脂製カバー５１とから成るコンセントユニット付きカバーを絶縁樹脂製基台２２に固定する。
【００７３】
この後、端子部保護カバー３９を上方より取付け、嵌め合い凸部３２と端子部保護カバー３９の挿入先端部のＬ形部とにより、端子部保護カバー３９を抜け止め固定する。
更にこの後、実施例１と同様に、固定型爪部４３、摺動型爪部４４、爪係合溝４５、付勢部材４６、引っ掛け穴４７、傾斜面４８等からなるレール取付用部材を取付けて、組立を完了する。勿論、レール取付用部材は実施例２のようにしてもよい。
【００７４】
図７は、上記のようにして各部材が互いに組み付けられて完成した状態の電源簡易接続
型端子部付きレール取付型コンセントを示す斜視図である。尚、同図の外観部には、他の実施例と同一構成部分には同一番号を付与して示している。
【００７５】
図７に示すコンセントは、端子数がアース用端子を含む３個となっているだけで、図５に示した実施例３のコンセントと機能的に何ら変わるところは無い。
【図面の簡単な説明】
【００７６】
【図１】実施例１に係わる電源簡易接続型端子部付きレール取付型コンセント（コンセント）の分解斜視図である。
【図２】実施例１に係わるコンセントの各部材が互いに組み付けられて完成した状態を示す斜視図である。
【図３】(a) は実施例１に係わるコンセントのレール取付部の構成を示す斜視図、(b) は(a) を表側から見た部分斜視図、(c) はコンセントをレール取付部によって盤内レールに取り付けた状態を示す図である。
【図４】実施例２に係わるコンセントのレール取付部の他の構成例を示す斜視図である。
【図５】実施例３に係わるコンセントのプラグ刃受け部の他の構成例を示す斜視図である。
【図６】実施例４に係わるコンセントの分解斜視図である。
【図７】実施例４に係わるコンセントの各部材が互いに組み付けられて完成した状態を示す斜視図である。
【図８】(a) は従来のコンセントの一例を示す外観斜視図、(b) はその裏面から見た斜視図である。
【符号の説明】
【００７７】
１    コンセント
２    基台
３    基台保護蓋
４    切り欠き孔
５    上げ底
６    分岐配線引込用孔
７    止めネジ通し孔
８    刃受け孔
９    止めネジ通し孔
１１    止めネジ
１５    コンセント
１６    カバー止めネジ
１７    刃受け部保護カバー
１８    押え金具
１９    端子ネジ
２１    端子付きプラグ刃受け部
２２    基台
２３    溝
２４    プラグ刃受け部
２５    端子
２６（２６ａ、２６ｂ）  プラグ刃受け
２７    位置決め部
２８    メネジ孔
２９    逃げ孔
３１（３１ａ、３１ｂ、３１ｃ）  配線用隔壁
３２    嵌め合い凸部
３３    ネジ座
３４    メネジ孔
３５    カバー止めネジ挿通孔
３６    プラグ刃孔
３７    電源接続用端子部
３８    嵌め合い凹部
３９    端子部保護カバー
４１    溝部
４２    盤内レール
４３    固定型爪部
４４    摺動型爪部
４５    爪係合溝
４６    付勢部材
４７    引っ掛け穴
４８    傾斜面
５０    コンセントユニット
５０ａ  埋込み取付用爪
５０ｂ  ユニット端子
５１    カバー
５１ａ  コンセントユニット埋込み孔
５２    リード線
５３    タブ端子
５４    圧着端子
５５    端子板
５６    端子抜止め隔壁
５７    カバー取付用通し孔
【図１】
2008010391.tif 000003
【図２】
2008010391.tif 000004
【図３】
2008010391.tif 000005
【図４】
2008010391.tif 000006
【図５】
2008010391.tif 000007
【図６】
2008010391.tif 000008
【図７】
2008010391.tif 000009
【図８】
2008010391.tif 000010